(57)【要約】　　　（修正有）【課題】単一の装置によって瞳孔の検査も行うことのできる角膜形状装置の提供。【解決手段】レンズ（２、３）を備えた光学系と直列に配置したビデオカメラ（１）及び外側のプラチドディスク（９）を備えた装置であって、固視ＬＥＤ（４）、赤外線固視ＬＥＤ（５）、ネオングローランプ（６）、及び二個のビームスプリッタプレート（７、８）が設けられている。赤外線ＬＥＤ（１０）をプラチドディスク（９）の側方に配置して瞳孔検査のためのグレージング光を提供する。横方向ＬＥＤ（１０）と固視ＬＥＤ（５）は赤外線型であり、可視光領域の周波数を使用する角膜検査用の光源と干渉しない。【選択図】　　　図３
2004016816.tif 000002
【特許請求の範囲】
【請求項１】
レンズ（２、３）を備えた光学系と直列に配置したビデオカメラ（１）及び外側のプラチドディスク（９）を備えた、瞳孔検査装置を一体化した角膜形状解析装置であって、
固視ＬＥＤ（４）、赤外線固視ＬＥＤ（５）、ネオングローランプ（６）、及び二個のビームスプリッタプレート（７、８）を設け、
赤外線ＬＥＤ（１０）をプラチドディスク（９）の側方に配置して瞳孔検査のためのグレージング光（ｇｒａｚｉｎｇ　ｌｉｇｈｔ）を提供し、
側方ＬＥＤ（１０）と固視ＬＥＤ（５）は赤外線型であり、可視光領域の周波数を使用する角膜検査用の光源と干渉しないことを特徴とする角膜形状解析装置。
【請求項２】
使用時には、検査対象である患者の目（１８）に対して角膜検査と瞳孔検査を同時に行うことを特徴とする、請求項１に記載の瞳孔検査装置を一体化した角膜形状解析装置。
【請求項３】
前記赤外線ＬＥＤ（１０）は使用時における必要性に応じて異なる位置に設けられることを特徴とする、請求項１に記載の瞳孔検査装置を一体化した角膜形状解析装置。
【請求項４】
赤外線ＬＥＤ（１０ａ）が前記プラチドディスク（９）の内側に設けられていることを特徴とする、請求項１に記載の瞳孔検査装置を一体化した角膜形状解析装置。
【請求項５】
一群の赤外線ＬＥＤ（１０ｂ）が前記ランプ（６）と平行に設けられていることを特徴とする、請求項１に記載の瞳孔検査装置を一体化した角膜形状解析装置。
【請求項６】
単一の赤外線ＬＥＤ（１０ｃ）がピームスプリッタプレート（１９）と共に設けられていることを特徴とする、請求項１に記載の瞳孔検査装置を一体化した角膜形状解析装置。
【請求項７】
光を変化させながら瞳孔の中心を撮影し、固視中心と瞳孔中心を同時に提供することを特徴とする、請求項１に記載の瞳孔検査装置を一体化した角膜形状解析装置。
【発明の詳細な説明】
【０００１】
角膜検査や瞳孔検査は基本的に眼科の分野で行われることが知られている。事実、これらの検査から得たデータは、診断の面からだけでなく、屈折矯正手術を行う前に極めて正確なデータを提供できる点でも特に重要である。
【０００２】
従来技術によれば、角膜形状解析装置として知られている装置によって角膜検査を行っていた。
【０００３】
この既に知られている装置は、図１に示すように、レンズ２及び３を通過した像を撮影するビデオカメラ１を備えている。また、該装置は、固視ＬＥＤ（発光ダイオード）４を備えており、このＬＥＤ４からの光は、半銀メッキしたガラス板５の銀メッキした側の面で反射される。該装置には、ネオングローランプ６が設けられており、点灯されている間、このグローランプ６は、装置のフレーム９に固定具８によって固定されたプラチドディスク又はケラトグラフィ７を照らす。フレームの外側には小型のモニタ１０が設置され、接続ワイヤ１１によってビデオカメラ１に接続されており、迅速な画像化を可能にしている。ワイヤ１１は別のモニタやコンピュータに接続される。装置の使用時には、患者の目１２を検査位置に置き、ワイヤ１３と１４をＬＥＤ４とネオングローランプ６にそれぞれ電気的に接続する。使用時には、ＬＥＤ４によって照明されたガラス板５は、その外方において患者が視ている点、即ち固視中心からの光を反射する。この状態で、角膜上に第１プルキンエ像が形成される。この像は光学系を介してビデオカメラによって撮影され、ビデオカメラはこれをワイヤ１１を介して小型モニタ１０に送る。その後、このデジタル画像はシステムソフトウエアを備えたコンピュータに送られ、像の解析を可能にする。
【０００４】
本発明に係る装置は、殆どのメーカで使用されている通常の技術を用いた上述の装置とは異なり、単一の装置によって瞳孔の検査も行うことができ、また、患者毎に異なり、また光の変化によっても変化する瞳孔の中心を特定できる。
【０００５】
さらに、画像を中断することなく、各患者に固有で且つ変化する瞳孔の形態を決定できる。
【０００６】
特に、本発明に係る装置は、照明条件を変化させた時の瞳孔の変化を撮影し、瞳孔の面積を分析することができ、また、検査対象となっている目のそれぞれについて、各照明条件での瞳孔の中心を特定することができる。
【０００７】
これにより、同一の装置で固視中心と瞳孔中心が同時に得られる。
【０００８】
これらの分離した異なる点を得ることはレーザを用いて行う屈折矯正手術において基本的で重要なことである。
【０００９】
この屈折矯正手術では一般にエキシマレーザが用いられる。エキシマレーザは非常に精度の高い装置であり、二つのデータ源を利用することにより、固視点のみを手術において考慮し、瞳孔の領域変化、従って瞳孔の中心を連続的に知ることができない場合の手術結果に比べて良好な手術結果が得られる。
【００１０】
実際に、瞳孔の面積は、照明が無い場合に得られる最大値から、装置内に存在するランプの明るさが最大の時に得られる最小値の範囲で変化し、患者が常に固視点を観察するように角膜曲率軸を常に考慮する。
【００１１】
ビデオカメラでの撮影により、全ての中間位置を知ることができることは明らかであり、これらの中間位置はコンピュータ分析に使用するために記憶される。
【００１２】
本発明に係る角膜形状解析装置は、図３〜図６に示すように、レンズ２及び３を備えた光学系と直列に配置されたビデオカメラ１を有する。固視ＬＥＤ４、赤外線固視ＬＥＤ５、ネオングローランプ６、及び二個のビームスプリッタプレート７、８が設けられている。外側部分には、側方に位置決めされた赤外線ＬＥＤ１０を備えたプラチドディスク又はケラトグラフィ９が設けられている。
【００１３】
ＬＥＤ１０は、瞳孔検査のためのグレージング光（ｇｒａｚｉｎｇ　ｌｉｇｈｔ）の提供を可能にするためにこの位置に位置決めした。
【００１４】
ＬＥＤ１０と固視ＬＥＤ５は赤外線型であり、角膜検査に使用する光源と干渉しない。角膜検査では、可視光領域の周波数が使用される。
【００１５】
前記のプラチドディスク９は装置フレーム１２にボルト１１によって取り付けられている。
【００１６】
このフレームの外側には小型のモニタ１３が接続され、ワイヤ１４によってビデオカメラ１に接続されている。
【００１７】
このワイヤ１４は、信号を外部の別のモニタに送ることを可能する。この外部モニタは、画像分析が可能なシステムソフトウエアを備えたコンピュータに接続されている。
【００１８】
ネットワーク接続によりワイヤ１５を用いて種々のＬＥＤが相互に接続されている。
【００１９】
また、ネオングローランプはワイヤ１６によりポテンショメータ１７に接続されており、光度を変更できる。
【００２０】
本発明に係る角膜形状解析装置を使用することにより、検査対象である患者の目１８に対して角膜検査と瞳孔検査を同時に行うことができる。
【００２１】
本発明に係る角膜形状解析装置では、使用時における必要性に応じて赤外線ＬＥＤ１０が異なる位置に配置される。
【００２２】
ある実施形態（図５）では、赤外線ＬＥＤ１０ａがプラチドディスク９の内側に配置されている。
【００２３】
第２の実施形態（図６）では、一群の赤外線ＬＥＤ１０ｂがランプ６と平行に配置されている。
【００２４】
第３の実施形態（図７）では、単一の赤外線ＬＥＤ１０ｃが前記のアプリケーションと同様の機能を有するピームスプリッタ板１０ｄと共に設けられている。
【００２５】
本発明の装置を異なる実施形態で例示したが、本発明はシート１〜６の図面に限定されるものではない。
【図面の簡単な説明】
【図１】従来技術に係る角膜形状解析装置の横断方向断面図。
【図２】本発明に係る角膜形状解析装置の全体斜視図。
【図３】本発明に係る角膜形状解析装置のプラチドディスクの中心を通る位置での長手方向断面図。
【図４】本発明に係る角膜形状解析装置の横断方向断面図（図３のＡ−Ａ線部）。
【図５】本発明の第１の実施形態を示す長手方向断面図。
【図６】本発明の第２の実施形態を示す長手方向断面図。
【図７】本発明の第３の実施形態を示す長手方向断面図。
【符号の説明】
１　　ビデオカメラ
２、３　　レンズ
４、５、１０　　ＬＥＤ
６　　ネオングローランプ
７、８　　ビームスプリッタ
９　　プラチドディスク
【図１】
2004016816.tif 000003
【図２】
2004016816.tif 000004
【図３】
2004016816.tif 000005
【図４】
2004016816.tif 000006
【図５】
2004016816.tif 000007
【図６】
2004016816.tif 000008
【図７】
2004016816.tif 000009